(57)【特許請求の範囲】
【請求項１】
厚みの異なるシート材を所定方向に搬送する第１の搬送部材と、
前記第１の搬送部材から搬送された前記シート材を搬送する第２の搬送部材と、
前記第１の搬送部材から前記第２の搬送部材に達する間に湾曲して配置され、前記シート材を前記第２の搬送部材に導くガイドと、
自由端が前記ガイド内を前記湾曲に沿って通過する前記シート材の凹状の内側に接触する回転ガイドと、前記回転ガイドを支持する取り付け軸と、前記シート材から受ける接触力による回転方向と逆方向に前記回転ガイドを付勢する弾性体とを備え、前記厚みに応じた前記シート材との接触力に応じて、前記回転ガイドとの接触力が前記弾性体の付勢力より小さい第１坪量のシート材の時には前記回転ガイドを回動せず、前記回転ガイドとの接触力が前記弾性体の前記付勢力より大きい第２坪量のシート材の時には、前記第２坪量のシート材の凹状の曲率を大きくする様に、前記取り付け軸を中心に回動し、前記シート材の凹状の曲率を変える調整部材とを具備することを特徴とするシート搬送装置。
【請求項２】
厚みの異なるシート材を所定方向に搬送する第１の搬送部材と、
前記第１の搬送部材から搬送された前記シート材を搬送する第２の搬送部材と、
前記第１の搬送部材から前記第２の搬送部材に達する間に湾曲して配置され、前記シート材を前記第２の搬送部材に導くガイドと、
自由端が前記ガイド内を前記湾曲に沿って通過する前記シート材の凹状の内側に接触し、重心が回転中心より下方にあって、自重により初期位置に復帰する回転ガイドと、前記回転ガイドを支持する取り付け軸とを備え、前記厚みに応じて、前記回転ガイドとの接触力が前記自重による復帰力より小さい第１坪量のシート材の時には前記回転ガイドを回動せず、前記回転ガイドとの接触力が前記自重による前記復帰力より大きい第２坪量のシート材の時には、前記第２坪量のシート材の凹状の曲率を大きくする様に、前記シート材との接触力に応じて前記回転ガイドが前記取り付け軸を中心に回動して、前記シート材の凹状の曲率を変える調整部材とを具備することを特徴とするシート搬送装置。
【請求項３】
前記第２の搬送部材は、前記シート材を一旦停止した後、画像形成部方向への搬送を再開するレジストローラであることを特徴とする請求項１又は請求項２に記載のシート搬送装置。
【発明の詳細な説明】
【技術分野】
【０００１】
この発明は、例えばＭｕｌｔｉ  Ｆｕｎｃｔｉｏｎ  Ｐｅｒｉｐｈｅｒａｌ（以下ＭＦＰと略称する。）やプリンタといった画像形成装置の画像形成部にシート材を搬送するシート搬送装置にかかり、特に複数種のシート材を同じ搬送経路を用いて搬送するシート搬送装置に関するものである。
【背景技術】
【０００２】
ＭＦＰやプリンタ等の画像形成装置においては、画像の位置ずれや、色ずれの無い高画質を得るために、給紙カセットあるいは手差し給紙部から供給される用紙を整位して画像形成部に搬送する必要がある。この用紙の整位のため、一般に用紙の搬送路中にレジストローラを設けて、用紙の位置決めと傾き補正を行うものが多い。
【０００３】
レジストローラは、給紙部から用紙が供給されると、回転を一旦停止して、用紙の先端を、レジストローラに突き当てることにより、用紙を整位する。この後レジストローラは回転を再開して、画像形成部で形成される画像と同期するように、用紙を画像形成部に搬送する。
【０００４】
一方、特に静かな環境のオフィス等に設置される画像形成装置では、その駆動時に生じる騒音を極力低減することが要求され、用紙の搬送や位置決めの際に生じる騒音の低減も図られている。このため従来、レジストローラに用紙を導く、湾曲した搬送路中に、用紙に接触する端部を、用紙の給紙方向に向かって折り曲げた弾性のガイドを設けて、用紙とガイド端部との接触を調整して、レジスト時の騒音を小さくする装置がある（例えば特許文献１参照。）。
【特許文献１】特開平８−２６５２６号公報（カラム００１０、００１１、図１）
【発明の開示】
【発明が解決しようとする課題】
【０００５】
しかしながら（特許文献１）は、用紙がレジストローラに達するまでにガイド端部と接触して生じる騒音を低減出来、又、紙粉の低減を図れるものの、シート搬送装置にあっては、用紙の先端が、停止中のレジストローラに突き当たる時にも衝突音を発生する。特に用紙がこしの強い厚紙である場合、停止中のレジストローラに衝突すると、より大きな衝撃音が発生するという問題を生じていた。
【０００６】
そこでこの発明は上記課題を解決するものであり、複数種類の用紙Ｐを供給可能なレジスト機構において、用紙の種類にかかわらず、画像形成時に用紙先端がレジストローラに衝突するときに生じる衝撃音を低減することにより、オフィス内での騒音を防止出来る、静かなシート搬送装置を提供することを目的とする。
【課題を解決するための手段】
【０００７】
上記課題を解決するためこの発明のシート搬送装置は、厚みの異なるシート材を所定方向に搬送する第１の搬送部材と、前記第１の搬送部材から搬送された前記シート材を搬送する第２の搬送部材と、前記第１の搬送部材から前記第２の搬送部材に達する間に湾曲して配置され、前記シート材を前記第２の搬送部材に導くガイドと、自由端が前記ガイド内を前記湾曲に沿って通過する前記シート材の凹状の内側に接触する回転ガイドと、前記回転ガイドを支持する取り付け軸と、前記シート材から受ける接触力による回転方向と逆方向に前記回転ガイドを付勢する弾性体とを備え、前記厚みに応じた前記シート材との接触力に応じて、前記加回転ガイドとの接触力が前記弾性体の付勢力より小さい第１坪量のシート材の時には前記回転ガイドを回動せず、前記回転ガイドとの接触力が前記弾性体の前記付勢力より大きい第２坪量のシート材の時には、前記第２坪量のシート材の凹状の曲率を大きくする様に、前記取り付け軸を中心に回動し、前記シート材の凹状の曲率を変える調整部材とを備えるものである。
【発明の効果】
【０００８】
この発明によれば、シート材の種類にかかわらず、湾曲した搬送路を通過した用紙がレジストローラに衝突して発生する騒音を低減出来る。この結果画像形成装置を設置するエリアの環境の改善を図れる。
【発明を実施するための最良の形態】
【０００９】
この発明は、シート材をレジストに導く湾曲したガイド内に、シート材との接触により揺動する調整部材を配置する。
【実施例１】
【００１０】
以下にこの発明の実施例１を図１乃至図８を参照して詳細に説明する。図１は、本発明のシート搬送装置を搭載してなる４連タンデム方式の画像形成装置１を示す概略構成図である。画像形成装置１は、画像形成部３０を備え、その下方には、画像形成部３０にシート材である用紙Ｐを供給する給紙部３を備える。給紙部３は、用紙Ｐを収納する第１の給紙カセット３ａ、第２の給紙カセット３ｂ及び手差しトレイ３ｃを有する。各給紙カセット３ａ、３ｂ及び手差しトレイ３ｃから、画像形成部３０に至る搬送路７には、給紙カセット３ａ、３ｂ及び手差しトレイ３ｃから用紙を取り出すピックアップローラ７ａ、７ｂ、７ｃ、分離搬送ローラ８ａ、８ｂ、８ｃ、伝達ローラ９、第１の搬送部材である搬送ローラ１０及び後述するレジスト機構１１が設けられる。
【００１１】
画像形成部３０は、例えば、イエロ（Ｙ）、マゼンタ（Ｍ）、シアン（Ｃ）、ブラック（Ｋ）の各色の画像形成ステーション１８Ｙ、１８Ｍ、１８Ｃ、１８Ｋを有する。各画像形成ステーション１８Ｙ、１８Ｍ、１８Ｃ、１８Ｋは、無端状の転写ベルト２０に沿ってタンデムに配列されている。転写ベルト２０は、駆動ローラ２０ａ及び従動ローラ２０ｂ間に張設され、矢印ｑ方向に回転される。転写ベルト２０の従動ローラ２０ｂにより支持される２次転写位置には、２次転写ローラ２１が対向配置される。２次転写位置では、２次転写ローラ２１から供給される転写バイアスにより、用紙Ｐに、転写ベルト２０上のトナー像が２次転写される。
【００１２】
画像形成装置１の２次転写位置より下流には、定着装置２４が設けられる。更に定着装置２４の下流には、定着後の用紙Ｐを排紙部２６に排紙する排紙ローラ２７ａ及び排紙反転ローラ２７ｂが設けられる。更に画像形成装置１は、両面画像形成時に用紙Ｐを反転する反転搬送装置２８を有する。反転搬送装置２８は、用紙Ｐをレジスト機構１１に導く反転ガイド２８ａ及び反転搬送ローラ２８ｂを備える。
【００１３】
イエロ（Ｙ）の画像形成ステーション１８Ｙは、矢印ｒ方向に回転する像担持体である感光体ドラム１２Ｙの周囲に、帯電器１３Ｙ、現像装置１４Ｙ、転写ローラ１５Ｙ、クリーナ１６Ｙ、除電器１７Ｙを配置してなっている。またイエロ（Ｙ）の画像形成ステーション１８Ｙ上方には、感光体ドラム１２Ｙにレーザビームを照射するレーザ露光装置１９が設けられる。
【００１４】
マゼンタ（Ｍ）、シアン（Ｃ）、ブラック（Ｋ）の各色の画像形成ステーション１８Ｍ、１８Ｃ、１８Ｋは、イエロ（Ｙ）の画像形成ステーション１８Ｙと同様の構成を有していることからその説明を省略する。
【００１５】
画像形成部３０は、プリント操作開始により、イエロ（Ｙ）の画像形成ステーション１８Ｙにて、感光体ドラム１２Ｙが矢印ｒ方向に回転し、帯電器１３Ｙにより一様に帯電される。次いで感光体ドラム１２Ｙは、レーザ露光装置１９により、画像情報に対応する露光々を照射され静電潜像を形成される。
【００１６】
この後感光体ドラム１２Ｙ上の静電潜像は現像装置１４Ｙにより現像される。現像後、感光体ドラム１２Ｙ上に形成されたトナー像は、転写ローラ１５Ｙ位置で、転写ベルト２０上に一次転写される。転写終了後、感光体ドラム１２Ｙはクリーナ１６Ｙにより残留トナーをクリーニングされ、除電器１７Ｙにより感光体ドラム１２Ｙ表面を除電され、次のプリント可能となる。
【００１７】
マゼンタ（Ｍ）、シアン（Ｃ）、ブラック（Ｋ）の各色の画像形成ステーション１８Ｍ、１８Ｃ、１８Ｋでは、イエロ（Ｙ）の画像形成ステーション１８Ｙと同様に画像形成操作を行い、夫々の感光体ドラム上に形成されたトナー像を転写ベルト２０上に一次転写して重ね合わせ、転写ベルト２０上にフルカラートナー像を形成する。
【００１８】
転写ベルト２０上に形成されたフルカラートナー像は、この後２次転写位置に達し、２次転写ローラ２１の転写バイアスにより、用紙Ｐ上に一括２次転写される。この時用紙Ｐは、給紙部３からレジスト機構１１に供給され、転写ベルト２０上のフルカラートナー像が２次転写位置に達するのと同期するよう、２次転写位置に給紙されている。この後フルカラートナー像を転写された用紙Ｐは、定着装置２４により加熱加圧定着され、プリント画像を完成され、排紙部２６に排紙される。プリント操作が両面プリントである場合は、定着装置２４を経て、第１面のプリント画像を完成した後、第２面のプリント操作を行う。第２面のプリント操作のため、用紙Ｐは、排紙反転ローラ２７ｂにより反転搬送装置２８側に搬送され、再度レジスト機構１１に供給される。
【００１９】
次にレジスト機構１１について述べる。図２に示すように、レジスト機構１１は、搬送ローラ１０から２次転写ローラ２１に達する間に設けられ、第２の搬送部材である一対のレジストローラ３２、及びガイドであるレジスト搬送ガイド３３を有する。レジストローラ３２は、図示しない駆動制御部の制御により一旦回転を停止して、搬送ローラ１０により搬送される用紙Ｐ先端を当接した後、回転を再開して、画像形成部３０にてトナー像が２次転写位置に到達するのと同期して、用紙Ｐを２次転写位置に供給する。
【００２０】
レジスト搬送ガイド３３は、固定ガイド３４と、可動ガイド部３６を有する。固定ガイド３４は、用紙Ｐ側が凹状になるよう湾曲される。可動ガイド部３６は、支持ガイド３６ａに、調整部材である回転ガイド３７が回転可能に取り付けられている。回転ガイド３７は、図３に示すように平板状であり、支持ガイド３６ａへの取り付け軸３７ａを中心として回動され、用紙Ｐの搬送方向である矢印ｓ方向の上流側にて、バネ３８により、支持ガイド３６ａ方向である矢印ｔ方向に引かれている。回転ガイド３７の自由端３７ｂは、レジスト搬送ガイド３３内を凹状に走行する用紙Ｐの内側に接触するよう、用紙Ｐの走行経路上に突出されている。
【００２１】
一般にレジスト搬送ガイド３３を走行する用紙Ｐは、図４（ａ）に示すように、先端が先ず固定ガイド３４に当接する。この後用紙Ｐは、搬送ローラ１０の搬送力により、固定ガイド３４に沿ってレジストローラ３２方向に進み、図４（ｂ）に示すように一旦停止されているレジストローラ３２に当接する。更に用紙Ｐはレジストローラ３２に沿って進み、図４（ｃ）に示すようにレジストローラ３２のニップ部に突き当たる。この後、搬送ローラ１０は、用紙Ｐが少したわんだ状態になるまでの所定時間搬送を継続した後、搬送動作を停止する。この時、たわんでいる用紙Ｐのこしにより、用紙Ｐの姿勢が整位されて、用紙Ｐの傾きが補正される。
【００２２】
このように動作する用紙Ｐは、図４（ａ）に示す固定ガイド３４との当接時にはその後更に固定ガイド３４面を滑って進み、また図４（ｂ）に示すレジストローラ３２との当接時にはその後レジストローラ３２面を滑って進むことから、坪量の大きい厚紙であっても、大きな衝突音は生じない。しかしながら、図４（ｃ）に示すように、用紙Ｐの先端部が停止中のレジストローラ３２のニップ部に突き当たる時には、衝突音を生じ、特に厚紙の場合には、衝突音が大きくなる。このため、この実施例にあっては、回転ガイド３７を用紙Ｐに接触させて、衝突時の用紙Ｐの微小な振動を抑えて、衝突音を小さくするものである。更に回転ガイド３７により凹状に湾曲される用紙Ｐの内側をさらに押し上げて、用紙Ｐの凹状の曲率を大きくし（たわみを大きくし）、用紙Ｐがレジストローラ３２のニップ部に進入する角度を変えることによって、衝突音を小さくするものである。
【００２３】
次に作用について述べる。画像形成操作を開始すると、画像形成装置１は画像形成部３０にて、転写ベルト２０上にフルカラートナー像を形成する。一方、画像形成装置１は、給紙部３にて、第１の給紙カセット３ａ、第２の給紙カセット３ｂ或は手差しトレイ３ｃのいずれかから用紙を取り出し、搬送ローラ１０に供給する。この後用紙Ｐは、レジスト機構１１にて、レジスト搬送ガイド３３に導かれレジストローラ３２により整位された後、転写ベルト２０上のフルカラートナー像が２次転写位置に到達するのと同期して、２次転写位置に供給される。
【００２４】
但し用紙Ｐは、用紙の種類、例えば坪量に応じて、レジスト搬送ガイド３３内にて走行経路の変動が可能とされる。用紙Ｐは、その種類にかかわらず、レジスト搬送ガイド３３内を走行するときに、回転ガイド３７の自由端３７ｂに接する。この時用紙Ｐが、例えば、坪量６４（ｇ／ｍ２）の、普通紙或いはそれよりもこしの弱い薄紙である場合には、用紙Ｐが回転ガイド３７の自由端３７ｂに接触しても、用紙Ｐによる回転ガイド３７への接触力は、バネ３８による矢印ｔ方向の引っ張り力より小さい。したがって、回転ガイド３７は、回転されることが無く、用紙Ｐは、図５に示す経路を通ってレジストローラ３２に導かれる。但しこの時、用紙Ｐの坪量が小さくこしが弱いので、用紙Ｐはレジストローラ３２のニップ部に突き当たった時に自由に撓むことが出来る。従ってニップ部との衝突時に用紙Ｐに生じる微小な振動は、用紙Ｐのたわみと、回転ガイド３７の自由端３７ｂとの接触とにより、吸収されて、ニップ部との衝突音がかなり小さく抑えられる。
【００２５】
一方用紙Ｐの坪量が、例えば２０９（ｇ／ｍ２）と大きく、こしが強い厚紙である場合には、用紙Ｐが回転ガイド３７の自由端３７ｂに接触すると、用紙Ｐによる回転ガイド３７への接触力が、バネ３８による矢印ｔ方向の引っ張り力より大きくなり、バネ３８の引っ張り力にかかわらず、回転ガイド３７は矢印ｕ方向に回動する。
【００２６】
すなわち用紙Ｐは、図６（ａ）に示すように、レジスト搬送ガイド３３内を走行し、固定ガイド３４に当接する。この時、用紙Ｐは、回転ガイド３７の自由端３７ｂに接触して、回転ガイド３７を矢印ｕ方向に回動する。これにより用紙Ｐは、図６（ｂ）に示すように、レジストローラ３２のニップ部に進入する角度を変えられ、回転ガイド３７のほぼ全面に接触する。又用紙Ｐは、回転ガイド３７の上流側の端部に押されてその走行経路を強制的に変えられて、凹状の曲率が大きくされる（たわみが大きくされる）。このような状態で、図６（ｃ）に示すように、用紙Ｐが停止中のレジストローラ３２のニップ部に突き当たると、用紙Ｐは微小な振動を生じる。但しこの振動は、用紙Ｐのたわみと、回転ガイド３７のほぼ全面との接触とにより吸収される。この結果、こしが強い厚紙においても、レジストローラ３２のニップ部との衝突音が小さく抑えられる。
【００２７】
上述したようにしてレジストローラ３２のニップ部に衝突して後も、用紙Ｐは、搬送ローラ１０による搬送を所定時間継続される。これにより用紙Ｐは、レジスト搬送ガイド３３内で、少し撓んだ状態となり、レジストローラ３２のニップ部の位置で傾きを補正され整位される。次いで転写ベルト２０上のフルカラートナー像が２次転写位置に到達するのと同期するよう、用紙Ｐを２次転写位置に供給するため、レジストローラ３２は、再度回転される。
【００２８】
この後用紙Ｐは二次転写位置で、転写ベルト２０上のカラートナー像を、一括二次転写され、定着装置２４でカラートナー像を定着され、画像形成操作を終了する。
【００２９】
尚回転ガイド３７の回動は、ばねを用いなくても良い。例えば回転ガイド３７の重心を、回転中心より下方に設けておけば、こしの強い用紙との接触力により回動された回転ガイド３７を、その自重により初期配置に復帰することが可能である。この場合には、ばねを設けなくても、ばねを用いた時と同様の効果が得られる。
【００３０】
回転ガイド３７を有するこの実施例１のレジスト機構１１及び搬送ローラ１０を備える搬送要素試験装置を用いて、回転ガイド３７が無い従来との、対照試験を行った。音圧レベル［ｄＢＡ］を測定した結果を図７に、グラフで示す。騒音測定は、図８に示す様に、搬送要素試験装置５０の近傍に設置されるサウンドレベルメータ（リオン株式会社製：リオン騒音計ＮＬ−３２）５１で行った。対象の用紙Ｐは、坪量５０、１０５、１５７、２０９[ｇ／ｍ２]とした。搬送要素試験装置５０の搬送ローラ１０にて、用紙Ｐを４００[mm/s]の速度で搬送し、用紙Ｐがレジストローラ３２のニップ部に衝突した時に発生する衝突音を、８０［ｍｓeｃ］のオーバーオール（ＯＡ）値を平均した値で検出した。この騒音測定を坪量毎に同じ用紙Ｐを用いて５回搬送して、試験結果とした。新しい用紙を用いて測定し、５回の測定は同一の用紙で行った。
【００３１】
図７の、▲マークの実線αで示す様に、本実施例の回転ガイド３７を備える搬送要素試験装置による試験結果は、◆マークの実線γで示す回転ガイド３７の無い従来の搬送要素試験装置による試験結果に比べて、音圧レベルが著しく低減された。
【００３２】
この実施例によれば、レジスト搬送ガイド３３内に、凹状に湾曲される用紙Ｐの内側に接触し、用紙Ｐとの接触力に応じて回動可能な回転ガイド３７を設けている。これにより、用紙Ｐの種類に応じて、厚紙等、こしの強い用紙Ｐに対しては、レジスト搬送ガイド３３を走行する用紙Ｐの曲率を、より大きくし、且つ回転ガイド３７との接触面を大きくして、レジストローラ３２との衝突時の振動を吸収している。この結果、複数種類の用紙Ｐを供給可能なレジスト機構１１において、こしの強い用紙Ｐを整位する場合であっても、用紙Ｐとレジストローラ３２との衝突音を小さくすることが出来、より静かな画像形成装置１を提供可能となる。
【実施例２】
【００３３】
次にこの発明の実施例２について図９及び図１０を参照して説明する。この実施例２は上述した実施例１において、調整部材の構造が異なるものであり、他は実施例１と同様である。従ってこの実施例２にあっては、前述の実施例１で説明した構成と同一構成については同一符号を付してその詳細な説明を省略する。
【００３４】
実施例２は、レジスト搬送ガイド３３の支持ガイド３６ａに、調整部材である平板上のスライドガイド４２を揺動可能に設けて、第２のばね４３によりスライドガイド４２を矢印ｖ方向に押し上げている。これにより、スライドガイド４２がフリーの状態においては、固定ガイド３４と、スライドガイド４２の先端との間を極力狭く設定されていて、用紙Ｐの走行方向が、より正確に規制されることとなる。この結果、用紙Ｐはレジストローラ３２のニップ部との当接角度がより安定され、良好なレジスト効果を得られることとなる。この第２のばね４３は、例えば、坪量が６４（ｇ／ｍ２）程度の、普通紙或いはそれよりも薄い用紙である場合には、用紙Ｐとの接触にかかわらず、圧縮されない付勢力を有している。
【００３５】
従って用紙Ｐが、普通紙或いはそれよりもこしの弱い薄紙である場合には、用紙Ｐがレジスト搬送ガイド３３を通過する間にスライドガイド４２は、下方に押し下げられることが無く、用紙Ｐは、図９に示す経路を通って、レジストローラ３２のニップ部との当接角度をより正確に規制されて、レジストローラ３２により、より良好に整位される。しかも、用紙Ｐは、スライドガイド４２の先端により、たわみを付けられ、又、スライドガイド４２先端との接触により、ニップ部との衝突時に用紙Ｐに生じる微小な振動を吸収されて、ニップ部との衝突音をかなり小さく抑えられる。
【００３６】
但し、このようにスライドガイド４２を用いて、用紙Ｐの搬送路を極力狭く設定して、用紙の走行方向を、より正確に規制したレジスト搬送ガイド３３では、こしの強い厚紙を供給した場合、用紙Ｐに対するスライドガイド４２による負荷が大きくなる。このため例えば坪量の大きい用紙Ｐは、レジスト搬送ガイド３３内での走行がスムースに行われず、良好な整位が行えなくなり、ひいては紙詰まりを生じる恐れもある。
【００３７】
しかしながらこの実施例では、厚紙の場合には、用紙Ｐが、レジスト搬送ガイド３３を通過する間に、用紙Ｐとの接触力によりスライドガイド４２が下方に押し下げられる。例えば坪量が２０９（ｇ／ｍ２）の用紙Ｐは、図１０に示すように、スライドガイド４２を矢印ｗ方向に押し下げて、固定ガイド３４と、スライドガイド４２の先端との幅を実質広げて、スライドガイド４２による用紙Ｐへの負荷を軽減している。
【００３８】
スライドガイド４２を有するこの実施例２のレジスト機構１１及び搬送ローラ１０を備える搬送要素試験装置を用いて、実施例１の時と同じ条件で騒音測定試験を行った。この結果図７の、●マークの実線βで示す様に、本実施例のスライドガイド４２を備える搬送要素試験装置による試験結果は、◆マークの実線γで示す回転ガイド３７の無い従来の搬送要素試験装置による試験結果に比べて、音圧レベルが著しく低減された。
【００３９】
この実施例によれば、レジスト搬送ガイド３３内に、凹状に湾曲される用紙Ｐの内側との接触力により揺動可能なスライドガイド４２を設けている。これにより、用紙Ｐの種類に応じて、普通紙或いはそれよりもこしの弱い薄紙に対しては、用紙Ｐの走行方向をより正確に規制してより良好に整位し、又、ニップ部との衝突音をより小さくしている。一方、厚紙等、こしの強い用紙Ｐに対しては、用紙Ｐの走行幅を広げて、用紙Ｐへの負荷を軽減して良好に整位し、又、ニップ部との衝突音を小さくすることが出来る。この結果、複数種類の用紙Ｐを供給可能なレジスト機構１１において、こしの強い用紙Ｐを整位する場合であっても、より静かな画像形成装置を提供可能となる。
【００４０】
尚この発明は上記実施例に限定されることなく、その趣旨を変えない範囲での変更は可能であって、例えば、調整部材の材質や構造等任意であり、図１１に示す第１の変形例のように、実施例１の平板上の回転ガイドに代えて、切り欠き部５２ａを有する回転ガイド５２を用いても良い。更に図１２に示す第２の変形例のように、リブ５３ａを有する回転ガイド５３を用いても良い。さらには、調整部材を弾性体で形成しても良く、このようにすれば、実施例１或いは実施例２のばねが不要となる。
【００４１】
又、第１の搬送部材と第２の搬送部材の配置、ひいてはガイドの形状等も限定されず、例えば図１３に示す第３の変形例のように、実施例１に比べて、ガイド５６の湾曲が大きい場合でも、同様の効果を得られる。但し、ガイド５６の湾曲が大きい場合は、図１３（ａ）に示すように、固定ガイド５７に当接したとき用紙Ｐは、回転ガイド３７と接触しない。しかしながら用紙Ｐは、この後固定ガイド５７に沿ってレジストローラ３２方向に進む間に回転ガイド３７の自由端３７ｂに接触して、回転ガイド３７を矢印ｕ方向に回動する。これにより用紙Ｐは、図１３（ｂ）に示すように、レジストローラ３２のニップ部に進入する角度を変えられ、回転ガイド３７のほぼ全面に接触しその走行経路を強制的に変えられて、凹状の曲率が大きくされる。この後用紙Ｐは、停止中のレジストローラ３２のニップ部に突き当たったときに、用紙Ｐのたわみと、回転ガイド３７との接触により、振動を吸収され、衝突音が小さく抑えられる。
【図面の簡単な説明】
【００４２】
【図１】本発明の実施例１の画像形成装置を示す概略構成図である。
【図２】本発明の実施例１のレジスト機構を示す概略構成図である。
【図３】本発明の実施例１の回転ガイドを示す概略平面図である。
【図４】本発明の実施例１にてレジスト機構での衝撃音の発生を示す概略説明図であり、（ａ）は用紙と固定ガイドとの当接を示し、（ｂ）は用紙とレジストローラとの当接を示し、（ｃ）は用紙とレジストローラのニップ部との当接を示す。
【図５】本発明の実施例１のレジスト搬送ガイドを普通紙が走行する状態を示す概略説明図。
【図６】本発明の実施例１のレジスト搬送ガイドを厚紙が走行する状態を示す概略説明図であり、（ａ）は用紙と固定ガイドとの当接を示し、（ｂ）は用紙による回転ガイドの回転を示し、（ｃ）は用紙とレジストローラのニップ部との衝突を示す。
【図７】搬送要素試験装置を用いて、本発明の実施例１及び実施例２と従来例の騒音の対照試験の試験結果を示すグラフである。
【図８】図７の試験結果を測定するサウンドレベルメータの配置を示す説明図である。
【図９】本発明の実施例２のレジスト搬送ガイドを普通紙が走行する状態を示す概略説明図。
【図１０】本発明の実施例２のレジスト搬送ガイドを厚紙が走行する状態を示す概略説明図。
【図１１】本発明の第１の変形例の回転ガイドを示す概略平面図である。
【図１２】本発明の第２の変形例の回転ガイドを示し、（ａ）はその平面図、（ｂ）はその側面図である。
【図１３】本発明の第３の変形例のレジスト搬送ガイドを厚紙が走行する状態を示す概略説明図であり、（ａ）は用紙と固定ガイドとの当接を示し、（ｂ）は用紙による回転ガイドの回転を示す。
【符号の説明】
【００４３】
１…画像形成装置
３…給紙部
１０…搬送ローラ
１１…レジスト機構
１８Ｙ、１８Ｍ、１８Ｃ、１８Ｋ…画像形成ステーション
２０…転写ベルト
２１…２次転写ローラ
３０…画像形成部
３２…レジストローラ
３３…レジスト搬送ガイド
３４…固定ガイド
３６…可動ガイド部
３６ａ…支持ガイド
３７…回転ガイド
３８…バネ
【図１】
0005127472.tif 000002
【図２】
0005127472.tif 000003
【図３】
0005127472.tif 000004
【図４】
0005127472.tif 000005
【図５】
0005127472.tif 000006
【図６】
0005127472.tif 000007
【図７】
0005127472.tif 000008
【図８】
0005127472.tif 000009
【図９】
0005127472.tif 000010
【図１０】
0005127472.tif 000011
【図１１】
0005127472.tif 000012
【図１２】
0005127472.tif 000013
【図１３】
0005127472.tif 000014